(57)【要約】【課題】  毛根の根起こしならびに毛髪の癖付けが容易であると共に、毛髪の絡みも容易に解くことが可能なすきバサミの提供を図る。【解決手段】  長さの異なる棒刃２０と櫛刃２２から成る理美容用のすきバサミ１０であって、櫛刃２２は棒刃２０よりも長尺に成形されて成り、棒刃２０の先端より突出することで該棒刃２０と噛み合わない櫛刃２２の先端部にも一の櫛歯体２３（先端側櫛歯体２３ａ）が備えられ、該先端側櫛歯体２３ａは、他の櫛歯体２３（根元側櫛歯体２３ｂ）より同尺若しくは長尺に成形されて成る手段を採る。【選択図】図１
0003213667.tif 000002
【実用新案登録請求の範囲】
【請求項１】
長さの異なる棒刃と櫛刃から成る理美容用のすきバサミであって、
前記櫛刃は前記棒刃よりも長尺に成形されて成り、
前記棒刃の先端より突出することで該棒刃と噛み合わない前記櫛刃の先端部にも一の櫛歯体（先端側櫛歯体）が備えられて成ることを特徴とするすきバサミ。
【請求項２】
前記先端側櫛歯体が、他の櫛歯体（根元側櫛歯体）よりも同尺若しくは長尺に成形されて成ることを特徴とする請求項１に記載のすきバサミ。
【請求項３】
前記先端側櫛歯体の刃先形状が、曲面状若しくは溝状に成形されて成ることを特徴とする請求項１または請求項２に記載のすきバサミ。
【考案の詳細な説明】
【技術分野】
【０００１】
本考案は、すきバサミに関し、詳しくは、毛根の根起こしならびに毛髪の癖付けが容易であると共に、毛髪の絡みも容易に解くことが可能なすきバサミに関するものである。
【背景技術】
【０００２】
従来におけるすきバサミは、略直線の刃先線を有する棒刃と、櫛歯状に並設した櫛歯体を有する櫛刃とから成り、このすきバサミで毛髪を梳くと、毛髪が不揃いの状態で切れ残ることにより直線状のハサミの切り跡が残らないため、整髪後において外見上自然な仕上がり状態になることから、理美容界において広く使用されている。かかるすきバサミについて、更に自然な仕上がりとすべく、櫛歯体の刃先を先細に形成し、一回の切断量を少なくして直線状のハサミの跡を残さない様にして、自然な仕上がりを得ようとする多種多様なすきバサミが提供されている。
【０００３】
上記のようなすきバサミの具体的な提案としては、例えば、断髪の際にクシの使用や毛髪を束ねる手間を省くことが可能な「毛髪を適量に分ける装置を付けた理美容用カット鋏、スキ鋏」（特許文献１）が提案され、公知技術となっている。
【０００４】
しかしながら、かかる「毛髪を適量に分ける装置を付けた理美容用カット鋏、スキ鋏」の提案は、理美容鋏の片方の刃の先の上側に棒状突起を設けたカット鋏、スキ鋏の提案であるが、鋏の片方の刃の先の上側に棒状を設けることによって、毛髪が棒状突起に引っかかって持ち上げられることから、その後の下方運動の際に適量のカットをし易くなり、これによりカット時間が短縮でき、また手と毛髪の接触が少なくできることから衛生的であり、種々のスタイルの髪形を容易に形成可能とするためのカット鋏の提案であって、本考案のように毛髪一本若しくは複数本に対しての毛根の根起こしならびに毛髪の癖付けができると共に、毛髪の絡みを解くことができるすきバサミの提案ではなかった。
【０００５】
また、白髪周囲の黒毛髪を無闇に切断したり、白髪周囲の黒毛毛髪根を傷めたりすることなく白髪のみを容易に切断でき、取扱いを容易にする「鋏」（特許文献２）が提案され、公知技術となっている。
【０００６】
しかしながら、かかる「鋏」の提案は、一対の刃部が開閉自在となるよう支承された鋏において、鋏本体の閉状態で小孔形状となる白髪導入用の捕捉スライド開口部を刃部の切れ口先端側に設けた鋏の提案であるが、鋏本体の閉状態で小孔形状となる白髪導入用の捕捉スライド開口部を刃部の切れ口先端側に設けたことによって、目的とする一本の毛髪を選択して切断するには、鋏を持たないもう一方の持ち手の指で目的とする一本の毛髪を摘み出さなければならないことから、理髪時の作業性ならびに容易性に問題があった。
【０００７】
また、鋏の跡自体が自然であり、梳鋏が一回の切断量の少なさに起因して作業量が増えるという事もなく、切断量が均一なために毛髪に鋏の跡が残ることもなく、個人の技量によらなくても自然な仕上がりが実現できる「梳鋏」（特許文献３）が提案され、公知技術となっている。
【０００８】
しかしながら、かかる「梳鋏」の提案は、略直線の刃先線を有する棒刃と、櫛歯状に並設した櫛歯体を有する櫛刃と、から成る梳鋏において、前記並設した櫛歯体は、この櫛歯体の各刃先により描かれる刃先線が凹凸形状を成す梳鋏の提案であって、並設した櫛歯体の各刃先により描かれる刃先線が凹凸形状を成すことによって、鋏の跡自体が自然であり、梳鋏が一回の切断量の少なさに起因して作業量が増えるという事もなく、切断量が均一なために毛髪に鋏の跡が残ることもなく、個人の技量によらなくても全体的に自然な仕上がりを実現することができる提案であるが、本考案のように毛髪一本一本に対しての毛根の根起こしならびに毛髪の癖付けができると共に、毛髪の絡みを解くことができるすきバサミの提案ではなかった。
【０００９】
また、簡単な部分構成の改変を加えるだけでどのような型式の鋏に対しても適用することができ、周りの毛髪を無闇に切断することなく狙いを定めた特定の白髪などのむだ毛だけを確実に根元から切りとることのできる「鋏」（特許文献４）が提案され、公知技術となっている。
【００１０】
しかしながら、かかる「鋏」の提案は、鋏身と指掛けとが柄を介して一体化されてなり、二つの鋏身の裏面同士を対向させるとともに、二つの鋏身を支軸で枢支してなる鋏において、少なくとも一方の鋏身には、刃先先端部を越えて外方に伸びるとともに、略直角方向内側に伸びる鉤状部が備えられ、また、鉤状部を鋏身と一体構造とすることもでき、鋏身とは別体であって、鉤状部を備えるＬ形鉤状部材を鋏身に固着して一体構造とすることもできる鋏の提案であるが、周りの毛髪を無闇に切断することなく狙いを定めた特定の白髪などのむだ毛だけを確実に根元から切りとることを目的とする提案であって、本考案のように毛髪一本若しくは複数本に対しての毛根の根起こしならびに毛髪の癖付けができると共に、毛髪の絡みを解くことができるすきバサミの提案ではなかった。
【００１１】
本出願人は、従来のすきバサミにおける整髪機能において、毛根の根起こしならびに毛髪の癖付けが容易であると共に、毛髪の絡みも容易に解くことができる機能を有するすきバサミの提供ができないものかという着想下、櫛刃の刃先が棒刃の刃先より長く、それにより櫛刃と棒刃の噛み合わない部分に一つの櫛歯体が備えられることによって、毛根の根起こしならびに毛髪の癖付けが容易であると共に、毛髪の絡みも容易に解くことが可能なすきバサミを開発し、本考案にかかる「すきバサミ」の提案に至るものである。
【先行技術文献】
【特許文献】
【００１２】
【特許文献１】特開２０１１−８３５８２号公報
【特許文献２】特開平９−７５５６１号公報
【特許文献３】特開平８−３１８０５５号公報
【特許文献４】実用新案登録第３１８８２６８号公報
【考案の概要】
【考案が解決しようとする課題】
【００１３】
本考案は、上記問題点に鑑み、毛根の根起こしならびに毛髪の癖付けが容易であると共に、毛髪の絡みも容易に解くことが可能なすきバサミを提供することを課題とするものである。
【課題を解決するための手段】
【００１４】
上記課題を解決するため、本考案は、長さの異なる棒刃と櫛刃から成る理美容用のすきバサミであって、櫛刃は棒刃よりも長尺に成形されて成り、棒刃の先端より突出することで該棒刃と噛み合わない櫛刃の先端部にも一の櫛歯体（先端側櫛歯体）が備えられて成る手段を採る。
【００１５】
また、本考案は、前記先端側櫛歯体が、他の櫛歯体（根元側櫛歯体）よりも同尺若しくは長尺に成形されて成る手段を採る。
【００１６】
さらに、本考案は、前記先端側櫛歯体の刃先形状が、曲面状若しくは溝状に成形されて成る手段を採る。
【考案の効果】
【００１７】
本考案にかかるすきバサミによれば、櫛刃が棒刃より長く、それにより櫛刃と棒刃の噛み合わない部分に櫛歯体（先端側櫛歯体）が備えられることによって、その先端側櫛歯体を使って毛孔の向きを変化させることが可能であって、それにより毛根の根起こしならびに毛髪の癖付けが容易にできると共に、毛髪の絡みも容易に解くことが可能になる、といった優れた効果を奏する。
【００１８】
また、本考案にかかるすきバサミによれば、先端側櫛歯体が他の櫛歯体（根元側櫛歯体）よりも同尺若しくは長尺に成形されることによって、鋏を閉じた状態でも目的とする作業を行うことが可能であって、誤って無用な毛髪を切断する危険がなく、安心且つ安全な鋏を提供し得る、といった優れた効果を奏する。
【００１９】
さらに、本考案にかかるすきバサミによれば、先端側櫛体の刃先形状が、曲面状に成形されていることによって、施術又は使用時において頭皮を傷つけることなく作業できると共にマッサージ効果も得られる、といった優れた効果を奏する。
【００２０】
またさらに、本考案にかかるすきバサミによれば、先端側櫛体の刃先形状が、毛髪を引っ掛けることができる溝状に成形されていることによって、髪を切らずして毛髪の根元から容易にボリュームを出して整髪することができる、といった優れた効果を奏する。
【図面の簡単な説明】
【００２１】
【図１】本考案にかかるすきバサミの実施形態を示す説明図である。（実施例１）
【図２】本考案にかかるすきバサミの他の実施形態を示す説明図である。（実施例２）
【考案を実施するための形態】
【００２２】
本考案にかかるすきバサミ１０は、櫛刃２２が棒刃２０より長く、それにより櫛刃２２と棒刃２０の噛み合わない部分に一の櫛歯体２３が備えられることによって、毛根Ｍの根起こしならびに毛髪Ｈの癖付けが容易にできると共に、毛髪Ｈの絡みも容易に解くことを可能にしたことを最大の特徴とする。
以下、本考案にかかるすきバサミ１０の実施形態を、図面に基づいて説明する。
【００２３】
尚、本考案にかかるすきバサミ１０は、以下に述べる実施例に限定されるものではなく、本考案の技術的思想の範囲内、すなわち同一の作用効果を発揮できる形状や寸法等の範囲内で適宜変更することができるもので、記載文言通りに狭義に解釈されるものではなく、同様の作用効果を発揮し得る範囲内で広義に解釈されるものである。
【実施例１】
【００２４】
図１は、本考案にかかるすきバサミ１０の実施形態を示しており、（ａ）はすきバサミ１０が開状態の使用説明図、（ｂ）はすきバサミ１０が閉状態の使用説明図である。
本考案にかかるすきバサミ１０は、長さの異なる棒刃２０と櫛刃２２から構成されている。
【００２５】
本考案において、櫛刃２２の長さは、棒刃２０の長さよりも長尺に成形されている。かかる形態を採ることによって、櫛刃２２の先端部が棒刃２０の先端より突出することとなり、該櫛刃２２の先端部は、棒刃２０と噛み合わない状態となる。櫛刃２２には、複数の櫛歯体２３が備えられており、棒刃２０と噛み合わない先端部にも、一の櫛歯体２３（先端側櫛歯体２３ａ）が備えられている。すなわち、先端側櫛歯体２３ａは、棒刃２０と噛み合わないことから、毛髪を切断するために用いられるものではない。
【００２６】
先端側櫛歯体２３ａの長さＴについて、特に限定はないが、好ましくは他の櫛歯体２３（根元側櫛歯体２３ｂ）の長さＬより同尺若しくは長尺に成形される。仮に先端側櫛歯体２３ａの長さＴを根元側櫛歯体２３ｂより短尺に成形すると、先端側櫛歯体２３ａの刃先を使った作業がし難い場合が想定されるためである。尚、図面では、先端側櫛歯体２３ａの長さＴを根元側櫛歯体２３ｂより長尺に成形した場合について示している。これにより、先端側櫛歯体２３ａの刃先が突出し、その突出した先端側櫛歯体２３ａの刃先が毛根Ｍに届いて、根起し等の作業が為されることとなる。
【００２７】
かかる先端側櫛歯体２３ａの具体的な長さＴについて、根元側櫛歯体２３ｂの長さＬと同尺、あるいは、それよりも長尺に成形される旨述べたが、どちらかといえば、先端側櫛歯体２３ａの長さＴを根元側櫛歯体２３ｂの長さＬより長尺とすることが好ましい。かかる形態を採ることによって、突出した先端側櫛歯体２３ａの刃先を使って根起し等の作業を行うことが可能とであって、しかも、すきバサミ１０を閉状態のまま作業することもできるため、開状態のままの作業により誤って無用な毛髪Ｈを切断するといった危険がなく、安心且つ安全な作業に資する。
【００２８】
ところで、先端側櫛歯体２３ａならびに根元側櫛歯体２３ｂに共通することとして、櫛歯体２３の刃先の形状については、特に限定するものではなく、図面では溝なしの略水平な平刃の場合について示しているが、斜めの平刃としたり、あるいは、Ｖ溝やＵ溝、Ｌ溝といった溝ありの刃先形状を採用することも考え得る。また、溝ありの刃先形状を採用した場合に、溝の数についても限定はなく、一の櫛歯体２３につき一乃至複数の溝が形成された刃先形状を採用可能である。
【００２９】
以上で構成される本考案にかかるすきバサミ１０は、櫛刃２２が棒刃２０より長く、それにより櫛刃２２と棒刃２０の噛み合わない部分に一つの櫛歯体２３（先端側櫛歯体２３ａ）が備えられることによって、その先端側櫛歯体２３ａを使って毛孔の向きを変化させることが可能であって、それにより毛根Ｍの根起こしならびに毛髪Ｈの癖付けが容易であると共に、毛髪Ｈの絡みも容易に解くことができ、また、すきバサミ１０が閉状態であっても作業することができるため、誤って無用な毛髪Ｈを切断するといった危険がなく、安心且つ安全な作業を可能にするすきバサミ１０を提供するものである。
【実施例２】
【００３０】
図２は、本考案にかかるすきバサミの他の実施形態を示す説明図である。
すなわち、先端側櫛歯体２３ａの刃先形状について、曲面状２５若しくは溝状２６に成形することが可能である。
【００３１】
図２（ａ）は、先端側櫛歯体２３ａの刃先形状について、曲面状２５に成形された場合を示す拡大説明図である。このように、先端側櫛歯体２３ａの刃先形状が曲面状２５に成形されることによって、頭皮Ｋを傷つけることなく、毛根Ｍに直に当接させて根起し作業を行ったり、毛髪Ｈの癖付けを行ったり、さらには、作業しながら頭皮Ｋのマッサージ効果も得ることが可能なすきバサミ１０を提供し得る。
【００３２】
図２（ｂ）は、先端側櫛歯体２３ａの刃先形状が溝状２６（一のＶ溝状）に成形された場合を示す拡大説明図である。このように、先端側櫛歯体２３ａの刃先形状が溝状２６に成形されることによって、該溝状２６を介して毛髪Ｈを引っ掛けることが可能であって、髪を切らずして毛髪Ｈの絡みを解したり、毛髪Ｈの根元から容易にボリュームを出して整髪することが可能なすきバサミ１０を提供し得る。尚、図面では、溝状２６を為す先端側櫛歯体２３ａの刃先形状について、Ｖ溝状を一つ成形した場合について示しているが、その他の形状、例えば凹溝やＵ溝、Ｌ溝といった形状を採用することもでき、また、溝の数についても一乃至複数成形する態様を採用することも可能である。
【産業上の利用可能性】
【００３３】
本考案にかかるすきバサミ１０は、櫛刃２２が棒刃２１の刃先より長く、それにより櫛刃２２と棒刃２１の噛み合わない部分に一つの櫛歯体２３が備えられることによって、頭皮Ｋを傷つけることなく、毛孔の向きを変化させることが可能であって、それによりピンポイントで毛根Ｍの根起こしならびに毛髪Ｈの癖付けが容易にできると共に、毛髪Ｈの絡みも容易に解くことが可能となるものである。したがって、本考案にかかる「すきバサミ」の産業上の利用可能性は、極めて大であるものと思料する。
【符号の説明】
【００３４】
１０    すきバサミ
２０    棒刃
２１    棒刃の背
２２    櫛刃
２３    櫛歯体
２３ａ  先端側櫛歯体
２３ｂ  根元側櫛歯体
２５    曲面状
２６    溝状
Ｔ    先端側櫛歯体の長さ
Ｌ    根元側櫛歯体の長さ
Ｈ    毛髪
Ｍ    毛根
Ｋ    頭皮
【図１】
0003213667.tif 000003
【図２】
0003213667.tif 000004